(57)【特許請求の範囲】
【請求項１】
ハウジングと、このハウジングの内部空間をその一端側から他端側へ向って複数の室に分離する複数の隔壁と、上記複数の室のうちの第１の室に排気ガスを導入するインレット管と、上記複数の室のうちの第２の室から排気ガスを外部に放出するアウトレット管と、上記第２の室に設けられ、上部が上記第２の室に開口する上記アウトレット管の上流側端部に連通したガイド部とを備え、上記第２の室内の下部に溜まった凝縮水を、排気ガスにより上記ガイド部上をその下端部から上方へ流して上記アウトレット管に流入させ、アウトレット管から外部に排出するようにした内燃機関用消音器において、
上記第２の室に臨む隔壁に、上記ガイド部を一体に設けるとともに、一端部が上記ガイド部の上部に連通し、他端部が上記第２の室から上記アウトレット管の下流側へ向って突出する支持筒部を設け、上記ガイド部をその下端部から上方へ向うにしたがって上記アウトレット管の下流側へ向うように傾斜させ、上記支持筒部に上記アウトレット管の上流側端部を嵌合したことを特徴とする内燃機関用消音器。
【請求項２】
上記アウトレット管の上流側端部を上記支持筒部の外周に嵌合させ、上記ガイド部の上部を上記支持筒部の内部を介して上記アウトレット管に連通させたことを特徴とする請求項１に記載の内燃機関用消音器。
【請求項３】
上記第２の室に臨む隔壁をプレス成形することにより、上記ガイド部を上記第２の室に臨む隔壁に一体に形成したことを特徴とする請求項２に記載の内燃機関用消音器。
【請求項４】
上記第２の室に臨む隔壁をプレス成形することにより、上記ガイド部及び上記支持筒部を上記第２の室に臨む隔壁に一体に形成したことを特徴とする請求項２に記載の内燃機関用消音器。
【発明の詳細な説明】
【０００１】
【発明の属する技術分野】
この発明は、ガソリンエンジン等の内燃機関に用いられる内燃機関用消音器に関する。
【０００２】
【従来の技術】
一般に、内燃機関用消音器は、ハウジングと、このハウジングの内部を複数の室に区分する複数の隔壁と、複数の室のうちの第１の室に下流側端部が連通したインレット管と、複数の室のうちの第２の室に上流側端部が連通したアウトレット管とを有しており、インレット管から第１の室に排気ガスが導入される。第１の室に導入された排気ガスは、隔壁に設けられたインナー管及び／又は多数の連通孔を介して第２の室に流入する。そして、第２の室からアウトレット管を介して外部に放出される。
【０００３】
ところで、ガソリンエンジン等の内燃機関から排出される排気ガスには、多量の水分が含まれている。この水分は、ハウジング内で凝縮して溜まる。この凝縮水を放置すると、ハウジングの内面が錆びるおそれがある。
【０００４】
そこで、従来の内燃機関用消音器においては、第２の室内に突出したアウトレット管の上流側端部にガイド部を設けている。ガイド部は漏斗状をなしており、その下端部はハウジングの下端部内面に接近して配置されている。したがって、ハウジング内に溜まった凝縮水は、排気ガスと共にガイド部上をその下端部から上方へ向かって流れ、アウトレット管に流入する。そして、アウトレット管から外部に排出される。
【０００５】
【発明が解決しようとする課題】
上記従来の内燃機関用消音器においては、ガイド部の下端部をハウジングの下端部内面に接近させてはいるものの、下端部内面に接触させていない。これは、ガイド部をハウジングの下端部内面に接触させると、車両の振動に伴ってハウジングとガイド部とが衝突を繰り返し、大きな騒音が発生するからである。ところが、ガイド部の下端部をハウジングの下端部内面から上方へ離すと、ガイド部より下側に溜まった凝縮水をガイド部及び排気管を介して外部に排出することができないという問題があった。
【０００６】
【課題を解決するための手段】
この発明は、上記の問題を解決するためになされたもので、ハウジングと、このハウジングの内部空間をその一端側から他端側へ向かって複数の室に分離する複数の隔壁と、上記複数の室のうちの第１の室に排気ガスを導入するインレット管と、上記複数の室のうちの第２の室から排気ガスを外部に放出するアウトレット管と、上記第２の室に設けられ、上部が上記第２の室に開口する上記アウトレット管の上流側端部に連通したガイド部とを備え、上記第２の室内の下部に溜まった凝縮水を、排気ガスにより上記ガイド部上をその下端部から上方へ流して上記アウトレット管に流入させ、アウトレット管から外部に排出するようにした内燃機関用消音器において、上記ガイド部の下端部を上記第２の室に臨む隔壁の下端部に一体化された状態で連続させたことを特徴としている。
この場合、上記ガイド部を、その下端部から上方へ向かうにしたがって上記第２の室から上記アウトレット管の下流側へ向かって離間するように傾斜させることが望ましい。
上記ガイド部は、上記第２の室に臨む隔壁に一体に設けることが望ましい。
上記第２の室に臨む隔壁に、一端部が上記ガイド部の上部に連通し、他端部が上記第２の室から離間する方向に突出する支持筒部を形成し、この支持筒部に上記アウトレット管を嵌合させることが望ましい。この場合には、上記アウトレット管の上流側端部を上記支持筒部の外周に嵌合させ、上記ガイド部の上部を上記支持筒部の内部を介して上記アウトレット管に連通させることが望ましい。
上記第２の室に臨む隔壁をプレス成形することにより、上記ガイド部を上記第２の室に臨む隔壁に一体に形成することが望ましい。
上記第２の室に臨む隔壁をプレス成形することにより、上記ガイド部及び上記支持筒部を上記第２の室に臨む隔壁に一体に形成することが望ましい。
【０００７】
【発明の実施の形態】
以下、この発明の一実施の形態について図１〜図５を参照して説明する。
図１及び図２に示すように、この実施の形態の内燃機関用消音器１は、ハウジング２を備えている。このハウジング２は、両端が開口した断面長円状の筒体２１を有している。この筒体２１は、その軸線及び断面における長軸を水平方向に向けて配置されている。筒体２１の両端開口部は、端壁（隔壁）２２，２３によって閉じられている。これにより、ハウジング２の内部に密閉空間が形成されている。
【０００８】
ハウジング２の内部には、二つの隔壁３，４が設けられている。隔壁は、一つだけ設けられることもあり、三つ以上設けられることもある。隔壁３，４は、後述する凹部３２，４２が形成された部分を除き、全周にわたって筒体２１の内周面に溶接等によって固定されている。隔壁４Ａ，４Ｂは、端壁２２，２３に対して筒体２１の軸線方向へ離間するとともに、同方向へ互いに離間して配置されている。これにより、ハウジング２内の密閉空間が、図１、図２における右側（以下、上下左右は図１及び図２における上下左右を意味するものとする。）の端壁２２とこれに隣接する隔壁３との間に位置する第１の室５Ａと、左側の端壁２３とこれに隣接する隔壁４との間に位置する第２の室５Ｂと、隔壁３，４の間に位置する第３の室５Ｃとの三つの室に区分されている。第１の室５Ａと第３の室５Ｃとは、隔壁３に形成された多数の小孔３１（図４参照）を介して連通している。第３の室５Ｃと第２の室５Ｂとは、隔壁４に形成された多数の小孔４１（図３参照）を介して連通している。第１、第２、第３の室５Ａ，５Ｂ，５Ｃの各間は、小孔３１，４１に代えて、あるいはそれらと共にインナー管（図示せず）を介して連通されることもある。
【０００９】
図３及び図４に示すように、各隔壁３，４の下端中央部には、凹部３２，４２がそれぞれ形成されている。各凹部３２，４２は、筒体２１の下端部内面と協働して凝縮水を流すための通路を形成しており、第１の室５Ａ内の凝縮水は凹部３２を通って第３の室５Ｃに流入し、第３の室５Ｃ内の凝縮水は凹部４２を通って第２の室５Ｂに流入するようになっている。
【００１０】
ハウジング２には、両端部がそれぞれ開口したインレット管６及びアウトレット管７が設けられている。インレット管６及びアウトレット管７は、筒体２１の軸線と平行に配置されている。インレット管６の上流側端部は、端壁２３から外部に開口し、ガソリンエンジン等の内燃機関（図示せず）に接続されている。インレット管６の下流側端部は、第２の室５Ｂ、隔壁４、第３の室５Ｃ及び隔壁３を順次貫通し、第１の室５Ａに突出している。したがって、エンジンから排出された排気ガスは、第１の室５Ａに導入される。第１の室５Ａに導入された排気ガスは、隔壁３に形成された多数の小孔３１を通って第３の室５Ｃに流入し、さらに隔壁４に形成された小孔４１を通って第２の室５Ｂに流入する。アウトレット管７の上流側端部は、第２の室５Ｂに後述するガイド部８を介して連通している。アウトレット管７の下流側端部は、第３の室５Ｃ、隔壁３、第１の室５Ａ及び端壁２２を順次貫通して外部に開口している。したがって、第２の室５Ｂに流入した排気ガスは、アウトレット管７を通って外部に排出される。
【００１１】
隔壁４には、当該隔壁４をプレス成形することにより、ガイド部８とこれに続く支持筒部９とが形成されている。
ガイド部８は、図３に示すように、第２の室５Ｂ内から第３の室５Ｃ側へ向って見たとき、隔壁４の略中央部から斜め下方に向って延びる長円状をなしており、その下端は、隔壁４の下端縁近傍まで延びている。ガイド部８の下端は、隔壁４の下端縁まで延ばし、筒体２１の下端部内面に接するようにしてもよい。図１、図２及び図５に示すように、ガイド部８は、当該ガイド部８が形成された部分をプレス成形することにより、第２の室５Ｂ側から第３の室５Ｃ側へ向って凹む凹部として形成されている。しかも、ガイド部８を区画する面は、第２の室５Ｂ側から第３の室５Ｃ側へ向うにしたがって漸次小径となるテーパ状に形成されている。ガイド部８の各部のテーパ度は、その下端部からガイド部８の長軸に沿って隔壁の中央側へ向う箇所において最も小さくなっており、当該箇所から周方向へ離れるにしたがってテーパ度が大きくなり、周方向へほぼ４５°以上離れた箇所においては一定になっている。
【００１２】
ガイド部８の長軸方向における両端部のうちの、隔壁４の中央側の一端部には、両端が開口した断面円形の支持筒部９の一端部が連接されている。この支持筒部９の他端部は、筒体２１の軸線と平行に第３の室５Ｂ側へ向かって延びている。つまり、アウトレット管７と平行にその下流側へ向かって延びている。支持筒部９の内周には、アウトレット管７の上流側端部が嵌合させられている。この場合、アウトレット管７は、その上流側の端面が支持筒部９の第２の室５Ｂ側の端面と同一平面上に位置するよう、上流側端部が支持筒部９の全長にわたって嵌合されている。したがって、アウトレット管７は、支持筒部９が介在することなく、ガイド部８だけを介して第２の室５Ｂに連通している。アウトレット管７は、その上流側の端面が支持筒部９の第２の室５Ｂ側における端面より第３の室５Ｃ側に位置した状態で、支持筒部９の内周面に嵌合させ、支持筒部９の内部及びガイド部８を介して第２の室５Ｂに連通させてもよい。
【００１３】
上記構成の内燃機関用消音器１においては、排気ガスが第２の室５Ｂからアウトレット管７内に流入するとき、その一部がガイド部８に沿ってその下端部から上方へ向かって流れる。この排気ガスにより、第２の室５Ｂの下端部に溜まった凝縮水がガイド部８上をその下端部から上方へ押し上げられ、アウトレット管７に流入する。この場合、ガイド部８がその下端部からアウトレット管７側である上方へ向かうにしたがって第２の室５Ｂからアウトレット管７の下流側へ向かうように傾斜しているので、ガイド部８が鉛直に設けられている場合に比して、凝縮水は容易に上方へ流れてアウトレット管７に流入する。しかも、ガイド部８がそれより下側の隔壁４の下端部に続いているので、ガイド部８より下側に溜まった凝縮水が排気ガスにより隔壁４に沿って押し上げられ、隔壁４からガイド部８の下端部に至る。そして、ガイド部８上を流れてアウトレット管７に流入する。アウトレット管７に流入した凝縮水は、排気ガスと共にアウトレット管７の下流側へ流れ、その下流側端部から外部に排出される。したがって、ガイド部８の下端部が筒体２１の下端部内面から上方へ離れているにも拘わらず、第２の室５Ｂには凝縮水がほとんど溜まることがない。よって、消音器１の内部に錆が発生するのを防止することができる。
【００１４】
また、ガイド部８は、隔壁４に一体的に設けられているので、筒体２１の振動に伴って隔壁４が振動したとき、隔壁４と一緒に振動し、隔壁４に対して接触離間を繰り返すことがない。したがって、騒音が発生することがない。
【００１５】
さらに、ガイド部８を隔壁４に一体に形成しているから、ガイド部８をアウトレット管７に狭い第２の室５Ｂ内において固定する作業が不要になる。したがって、消音器１の製造費を低減することができる。特に、この消音器１では、隔壁４をプレス成形することによってガイド部８及び支持筒部９を隔壁４と一体に形成しているから、ガイド部８及び支持筒部９を独立した部品として製造する必要がなく、その分だけ部品点数を減らすことができる。よって、消音器１の製造費をより一層低減することができる。
【００１６】
なお、この発明は上記の実施の形態に限定されるものでなく、適宜変更可能である。
例えば、上記の実施の形態においては、アウトレット管７の上流側端部を支持筒部９の内周に嵌合させているが、支持筒部９の外周に嵌合させてもよい。そのようにした場合には、上記の実施の形態に比して凝縮水をガイド部８からアウトレット管７へ流れ易くすることができる。
また、上記の実施の形態においては、アウトレット管７が隔壁４から第２の室５Ｂに開口していることに対応して、ガイド部８を隔壁４に形成しているが、隔壁３又は端壁２２，２３にガイド部を形成してもよい。例えば、アウトレット管７が隔壁４から第３の室５Ｃに開口している場合（この場合には、第３の室５Ｃが第２の室になる。）には、隔壁３にガイド部が形成される。また、アウトレット管７が端壁２３から第２の室５Ｂに開口している場合には、端壁２３にガイド部が形成される。この場合、この発明では端壁２３が隔壁とみなされる。
さらに、上記の実施の形態においては、隔壁４をプレス成形することにより、ガイド部８及び支持筒部９を隔壁４に対して一体化しているが、ガイド部８及び支持筒部９をそれぞれ独立して、または一体化した状態で形成し、ガイド部８を隔壁４に溶接等によって一体的に固定するとともに、支持筒部９にアウトレット管７を嵌合固定してもよい。
【００１７】
【発明の効果】
以上説明したように、この発明によれば、ハウジングの下端部に溜まった凝縮水をほとんど残らず外部に排出することができるという効果が得られる。
【図面の簡単な説明】
【図１】この発明の一実施の形態を示す図であって、図３のＸ−Ｘ断面図である。
【図２】同実施の形態を示す図３のＹ−Ｙ断面図である。
【図３】図１のＸ−Ｘ断面図である。
【図４】図１のＹ−Ｙ断面図である。
【図５】図１のＺ部の拡大図である。
【符号の説明】
１  内燃機関用消音器
２  ハウジング
３Ａ  端板（隔壁）
３Ｂ  端板（隔壁）
４Ａ  隔壁
４Ｂ  隔壁
５Ａ  第１の室
５Ｂ  第２の室
６  インレット管
７  アウトレット管
８  ガイド部
９  支持筒部
４７  貫通孔
【図１】
0004152670.tif 000002
【図２】
0004152670.tif 000003
【図３】
0004152670.tif 000004
【図４】
0004152670.tif 000005
【図５】
0004152670.tif 000006